(57)【要約】【課題】長時間にわたるパチンコやパチスロの遊戯に対して疲労を軽減することが可能であるとともに、持運びが容易で、かつ、安価なパチンコ並びにパチスロ遊戯用補助具の提供を図る。【解決手段】パチンコやパチスロを遊戯する際に使用する補助具であって、利腕を載せるための腕置シートと肩に掛けて該腕置シートを吊るすための肩掛帯とからなり、略長方形状の腕置シートの両端に取付部を設けるとともに肩掛帯の両端に取付部を設け、腕置シートと肩掛帯とを夫々の取付部を介して連結する構成となっている。【選択図】図１
2006181385.tif 000002
【特許請求の範囲】
【請求項１】
パチンコやパチスロを遊戯する際に使用する補助具であって、利腕を載せるための腕置シートと肩に掛けて該腕置シートを吊るすための肩掛帯とからなり、略長方形状の腕置シートの両端に取付部を設けるとともに肩掛帯の両端に取付部を設け、腕置シートと肩掛帯とを夫々の取付部を介して連結することにより構成されることを特徴とするパチンコ並びにパチスロ遊戯用補助具。
【請求項２】
前記腕置シート並びに肩掛帯における取付部が、夫々長さ調節機構を備えたことを特徴とする請求項１に記載のパチンコ並びにパチスロ遊戯用補助具。
【請求項３】
前記肩掛帯における中間所定箇所に、長さ調節機構を備えたことを特徴とする請求項１または請求項２に記載のパチンコ並びにパチスロ遊戯用補助具。
【請求項４】
前記肩掛帯が、略平行状の二本の帯本体をその中間所定箇所において二本の連結帯体を介して連結し、かかる二本の帯本体と二本の連結帯体とで囲まれた空間に利腕と反対の腕を通す機能を持たせたことを特徴とする請求項１から請求項３のいずれかに記載のパチンコ並びにパチスロ遊戯用補助具。
【請求項５】
前記腕置シート並びに肩掛帯の材質が、布若しくはゴムまたはこれらの組合せからなることを特徴とする請求項１から請求項４のいずれかに記載のパチンコ並びにパチスロ遊戯用補助具。
【発明の詳細な説明】
【技術分野】
【０００１】
本発明は、パチンコやパチスロを遊戯する際に使用する補助具に関し、詳しくは、パチンコやパチスロを遊戯する者の利腕の疲れを軽減する補助具に関するものである。
【背景技術】
【０００２】
従来、パチンコやパチスロを遊戯する場合には、パチンコのハンドルやパチスロのレバー・ボタン等を利腕により操作している。このとき、短時間で遊戯が終了する場合はともかく、長時間にわたって遊戯を行った際には、手や腕、肩などに疲労が蓄積し、途中で休憩を挟まないと長時間の遊戯には耐え難いものであった。だからといって途中で休憩をしてしまうと、パチンコであればハンドル操作において一定を保つことができなくなるといった問題があった。また、遊戯したり休んだりの繰り返しは、かえって肩や腕の疲労を増長する場合もあって、思うようにコントロールすることができなくなってしまう問題点もあった。
【０００３】
そこで、肩や腕の疲労を軽減し、長時間にわたって遊戯が楽しめるよう、様々な発明・考案が提案されている。すなわち、パチンコ台と遊戯者との間にある玉置き用のテーブル等に遊戯者の腕を置くための台を常設する提案（特許文献１〜特許文献４参照）や、パチンコ台そのものに腕を置くための台を取り付け、必要に応じてかかる台を引き出す提案（特許文献５及び特許文献６参照）、さらに、持ち運びが可能であって、遊戯者が持参して玉置き用のテーブル等に腕を置くための台を装着する提案（特許文献７〜特許文献１０参照）などである。これらの提案はいずれも、腕の疲労を軽減するという点ではある一定の効果を得られるものである。
【０００４】
しかしながら、腕を置くための台を常設する提案によると、かかる台を不必要とする遊戯者にまで台に腕を置くことを強制するものであって、仮にかかる台が折り畳み等によって収納可能であって、必要に応じて台を出し入れすることができたとしても、パチンコ店は全台に設置する必要があるため、莫大なコストがかかることとなってしまう。さらには、使用者の腕の高さ位置は人それぞれであるが、該提案によると、台の高さが常に一定となってしまったり、あるいは、複雑な高さ調節機構を備える構造を採っているため、コスト面・構造面から結局のところ採用されていないのが現状である。
【０００５】
また、パチンコ台そのものに腕を置くための台を取り付ける提案によると、やはりパチンコ台の製作コストが増大し、さらには、腕を置くための台の高さが常に一定となってしまうことから、上記同様、現実には採用されていない。
【０００６】
そしてまた、腕を置くための台を遊戯者が持参して装着する提案によると、腕を置くことを必要とする遊戯者個々人が自ら持参するものであるため、コスト面では特に問題はないが、該提案の全てにおいて大きくかさ張るものであって、さらに重量的にも重くなってしまうため、持ち運びに不便で、実用的ではない。
【０００７】
上記の通り、従来の提案を検討すると、いずれも実用性に欠けるものである。その原因について鑑みると、パチンコ・パチスロを遊戯する際に腕・肩の疲労軽減を実現する方策として、台に腕を置くという発想・概念に基づいて発明・考案がなされている結果であるといえる。したがって、かかる概念を打ち破る新たな提案が望まれるところである。
【０００８】
【特許文献１】特開２００６−１５０９６号公報
【特許文献２】特開平８−１９１９４７号公報
【特許文献３】実開平６−８３０８５号公報
【特許文献４】実開平５−４１５８７号公報
【特許文献５】特開２００４−２０４９００号公報
【特許文献６】登録実用新案第３０８４６９６号公報
【特許文献７】特開２００４−１８７８０１号公報
【特許文献８】特開平８−２４４０９号公報
【特許文献９】登録実用新案第３０８１０３６号公報
【特許文献１０】登録実用新案第３０１１１３４号公報
【発明の開示】
【発明が解決しようとする課題】
【０００９】
上記問題点に鑑み、本発明は、長時間にわたるパチンコやパチスロの遊戯に対して疲労を軽減することが可能であるとともに、持運びが容易で、かつ、安価なパチンコ並びにパチスロ遊戯用補助具を提供することを目的とする。
【課題を解決するための手段】
【００１０】
前記目的を達成するため、パチンコやパチスロを遊戯する際に使用する補助具であって、利腕を載せるための腕置シートと肩に掛けて該腕置シートを吊るすための肩掛帯とからなり、略長方形状の腕置シートの両端に取付部を設けるとともに肩掛帯の両端に取付部を設け、腕置シートと肩掛帯とを夫々の取付部を介して連結することにより構成されている。
【００１１】
また、本発明は、前記腕置シート並びに肩掛帯における取付部が、夫々長さ調節機構を備えた構成を採ることもできる。
【００１２】
さらに、本発明は、前記肩掛帯における中間所定箇所に、長さ調節機構を備えた構成とすることもできる。
【００１３】
またさらに、本発明は、前記肩掛帯が、略平行状の二本の帯本体をその中間所定箇所において二本の連結帯体を介して連結し、かかる二本の帯本体と二本の連結帯体とで囲まれた空間に利腕と反対の腕を通す機能を持たせた構成を採用することができる。
【００１４】
さらにまた、本発明は、前記腕置シート並びに肩掛帯の材質が、布若しくはゴムまたはこれらの組合せからなる構成を採ることができる。
【発明の効果】
【００１５】
本発明にかかるパチンコ並びにパチスロ遊戯用補助具によれば、遊戯者は、自身の肩から吊るした腕置シート上に利腕を載せて、該利腕を一定の高さ位置に保ったままでパチンコ・パチスロを遊戯することが可能であるため、利腕や肩の疲労を軽減し、長時間にわたって楽しく遊戯することが可能となる。そして、腕置シートの高さ位置を調節することが可能な構造とすることにより、遊戯者は自身の適当な位置に利腕の高さを保持することが可能となるため、さらに疲労軽減に資する。
【００１６】
また、本発明にかかるパチンコ並びにパチスロ遊戯用補助具によれば、従来提案されてきた腕を置くための台型の器具に比して、運搬性及びコストパフォーマンスに優れ、さらには、利便性及び機能性に優れたものとすることができる。
【発明を実施するための最良の形態】
【００１７】
本発明にかかるパチンコ並びにパチスロ遊戯用補助具は、腕置シート１を肩に掛けた肩掛帯２で吊るし、パチンコやパチスロを遊戯する際の利腕Ｈ１を該腕置シート１上に載せることで、かかる利腕Ｈ１の疲労軽減を可能としたことを最大の特徴とする。以下、本発明にかかるパチンコ並びにパチスロ遊戯用補助具の実施形態を図面に基づいて説明する。
【００１８】
図１は、本発明にかかるパチンコ並びにパチスロ遊戯用補助具の実施形態を示す斜視図である。該パチンコ並びにパチスロ遊戯用補助具は、利腕Ｈ１を載せるための腕置シート１と、肩に掛けて該腕置シート１を吊るすための肩掛帯２とから構成されている。なお、ここでいう利腕Ｈ１とは、パチンコの操作ハンドルを回したり、パチスロの操作レバーやボタンを叩く等といった、遊戯者Ｈがパチンコやパチスロを操作する際の腕をいう。
【００１９】
腕置シート１は、略長方形状であって、その両端に取付部３が設けられている。また、材質について特に限定はないが、利腕Ｈ１を載せた際に該腕にフィットするよう、ある程度の柔軟性を備える素材が好ましく、例えば、綿や絹、合成繊維等からなる布や、各種ゴム、あるいはこれらの組合せ等が考え得る。このとき、該腕置シート１における中央箇所１ａ、すなわち、利腕Ｈ１を載せた際の底部に位置する箇所をゴム製とし、その他の部分を布製で構成することにより、該中央箇所１ａにクッション性をもたせて、利腕Ｈ１の動きに対して柔軟に対応することが可能となる。
【００２０】
また、該腕置シート１について、図面に示すように、両端上方、すなわち、利腕Ｈ１を載せた際の該腕の上方を渡るように、利腕Ｈ１と腕置シート１とを固着するための固着ベルト１ｂを設ける態様も考え得る。該固着ベルト１ｂは、腕置シート１に対して固定式あるいは着脱式のいずれの方式で設けてもよく、また、材質については、前記腕置シート１と同様に、ある程度の柔軟性を備える素材が好ましく、例えば、綿や絹、合成繊維等からなる布や、各種ゴム、あるいはこれらの組合せ等が考え得る。該固着ベルト１ｂを設けることで、利腕Ｈ１の動きに対して、腕置シート１から利腕Ｈ１がズレたり脱落するのを防止することが可能となる。
【００２１】
肩掛帯２は、長尺の帯状であって、その両端に取付部４が設けられている。そしてまた、素材については特に限定はないが、肩を介して腕置シート１を吊るすべく、やはり柔軟性を備える素材が好ましく、例えば上記同様、綿や絹、合成繊維等からなる布や、各種ゴム、あるいはこれらの組合せ等が考え得る。
【００２２】
また、かかる肩掛帯２の構造について、略平行状の二本の帯本体２ａを、その中間所定箇所において二本の連結帯体２ｂを介して連結してなる構造とすることが考え得る。かかる構造を採用することにより、肩掛帯２の中間位置に二本の帯本体２ａと二本の連結帯体２ｂとで囲まれた空間６を作ることができ、かかる空間６に利腕と反対の腕Ｈ２を通す機能を持たせることで、肩掛帯２が肩からズレ落ちるのを防止することが可能となる。
【００２３】
上記の通り構成される腕置シート１及び肩掛帯２について、夫々に設けられた取付部３・４を連結することにより、本発明にかかるパチンコ並びにパチスロ遊戯用補助具が完成する。このとき、かかる夫々の取付部３・４には、長さ調節機構５が備えられることが望ましい。パチンコ・パチスロの遊戯者Ｈによっては、遊戯する際の肩から腕までの距離が異なるため、肩掛帯２の長さを調節することで、一の補助具で複数の遊戯者Ｈに合わせることを可能にするためである。長さ調節機構５については、種々の機構のものが考えられ、ボタンやベルクロファスナー、ベルト構造等、特に限定するものではない。
【００２４】
なお、かかる長さ調節機構Ｇについて、肩掛帯２における中間所定箇所に備える態様も可能である。すなわち、腕置シート１及び肩掛帯２に夫々設けられた取付部３・４は固定したままで、あるいは、長さ調節機構５を備えた取付部３・４とともに、肩掛帯２の中間位置において長さを調節可能とする態様である。かかる長さ調節機構Ｇについても特に限定するものではなく、例えば、ゴムやベルト構造を肩掛帯２の中間に配することで、長さを調節できるようにする機構等が考え得る。なお、該長さ調節機構Ｇをゴムによる方式とすれば、単に肩掛帯２の長さを調節するだけでなく、利腕Ｈ１の動きに対して柔軟に対応することが可能となる。
【００２５】
図２は、上述した本発明にかかるパチンコ並びにパチスロ遊戯用補助具の使用状態を示す説明図である。図面に示す通り、遊戯者Ｈはかかる遊戯用補助具を装着した状態において、パチンコやパチスロの遊戯を楽しむこととなる。該遊戯用補助具の装着にあたっては、肩掛帯２を肩に掛け、腕置シート１上に利腕Ｈ１を載せることで完了する。このとき、固着ベルト１ｂが設けられている場合には、該固着ベルト１ｂ内に利腕Ｈ１を収める。また、場合によって肩掛帯２の中間所定箇所に作られた空間６に利腕と反対の腕Ｈ２を通すこととなる。遊戯者Ｈによっては、遊戯する際の肩から腕までの距離が異なるため、腕置シート１及び肩掛帯２における夫々の取付部３・４に備えられた長さ調節機構５を使って、あるいは、肩掛帯２に備えられた長さ調節機構Ｇにより、肩掛帯２の長さを調節することが可能である。
【００２６】
なお、パチンコ並びにパチスロ遊戯用補助具の使用前及び使用後は、コンパクトに折り畳んだり丸めたりして、バッグや衣服のポケット等に収納することが可能であり、したがって持ち運びが非常に容易で、さらに、必要に応じて適宜取り出して、すぐまた装着することも可能である。
【産業上の利用可能性】
【００２７】
このように、本発明にかかるパチンコ並びにパチスロ遊戯用補助具は、パチンコやパチスロを長時間にわたって遊戯する場合において、利腕Ｈ１を一定の位置に保つことができるとともに、その際の利腕Ｈ１の疲労軽減を図ることが可能となり、さらには、持ち運びも容易で不必要時の収納性も備えている実用性に富んだ大変に便利なものであるため、産業上の利用可能性は大である。
【図面の簡単な説明】
【００２８】
【図１】本発明にかかるパチンコ並びにパチスロ遊戯用補助具の実施形態を示す斜視図である。
【図２】本発明にかかるパチンコ並びにパチスロ遊戯用補助具の使用状態を示す説明図である。
【符号の説明】
【００２９】
１    腕置シート
２    肩掛帯
２ａ  帯本体
２ｂ  連結帯体
３    取付部
４    取付部
５    長さ調節機構
６    空間
Ｇ    長さ調節機構
Ｈ    遊戯者
Ｈ１  利腕
Ｈ２  利腕と反対の腕
【図１】
2006181385.tif 000003
【図２】
2006181385.tif 000004